(57)【要約】【課題】インサート成形による筐体の軽量化を図ることができる電子機器を提供する。【解決手段】筐体２０において電子部品２３を支持する板金部２５の平板部２５１に設けられた折曲部２５２を、樹脂部２６により覆う。このとき、折曲部２５２には、切欠部２５３が設けられているので、筐体の軽量化を図ることができる。【選択図】図２
2013008917.tif 000002
【特許請求の範囲】
【請求項１】
板金部と、前記板金部の平板部に設けられた折曲部を覆う樹脂部とを有する筐体と、
前記板金部に支持される電子部品と、を備え、
前記折曲部に切欠部が設けられている電子機器。
【請求項２】
請求項１に記載の電子機器において、
前記平板部が平面略矩形状であるとともに、前記折曲部が前記平板部における互いに平行な一対の縁部にそれぞれ設けられ、かつ、前記各切欠部が前記各折曲部における非対称位置に設けられている電子機器。
【請求項３】
請求項１または請求項２に記載の電子機器において、
前記切欠部が前記平板部に向かって先細りとなる側面視略台形状である電子機器。
【請求項４】
請求項１ないし請求項３のうちのいずれか１項に記載の電子機器において、
前記板金部がアルミニウム製である電子機器。
【発明の詳細な説明】
【技術分野】
【０００１】
本発明は、金型内に挿入した金属部品の周りに樹脂を注入して金属と樹脂を一体化した部品を用いる電子機器に関するものである。
【背景技術】
【０００２】
従来より、金属部品の周りに樹脂を注入して金属と樹脂を一体化することにより形成される部品が知られている（例えば、特許文献１参照）。
【０００３】
図５に示す部品１００は、電動機のコネクタを兼ねたエンドケースに用いられる部品であり、金属心材１０１と樹脂１０２によりインサート成形したものである。
金属心材１０１は中心部に固定軸の端部が圧入固定される圧入部１０３を有しており、圧入部１０３からリブ部１０４が放射状に伸びて、樹脂１０２との結合強度の増加を図っている。
【先行技術文献】
【特許文献】
【０００４】
【特許文献１】実開昭６２−１５９１４６号公報（第４図）
【発明の概要】
【発明が解決しようとする課題】
【０００５】
ところで、近年、前述したような、金属をインサート成形した部品は、電子機器にも多用されている。
また、電子機器においては、軽量化が求められており、インサート成形部品である例えば電子機器の筐体等の軽量化が求められている。
【０００６】
本発明は、従来の問題を解決するためになされたもので、インサート成形による筐体等の部品の軽量化を図ることができる電子機器を提供することを目的とする。
【課題を解決するための手段】
【０００７】
本発明の電子機器は、板金部と、前記板金部の平板部に設けられた折曲部を覆う樹脂部とを有する筐体と、前記板金部に支持される電子部品と、を備え、前記折曲部に切欠部が設けられたものである。
【０００８】
また、本発明の電子機器は、前記平板部が平面略矩形状であるとともに、前記折曲部が前記平板部における互いに平行な一対の縁部にそれぞれ設けられ、かつ、前記各切欠部が前記各折曲部における非対称位置に設けられたものである。
【０００９】
また、本発明の電子機器は、前記切欠部が前記平板部に向かって先細りとなる側面視略台形状であるものである。
【００１０】
さらに、本発明の電子機器は、前記板金部がアルミニウム製であるものである。
【発明の効果】
【００１１】
本発明は、筐体において電子部品を支持する板金部の平板部に設けられた折曲部を、樹脂部により覆う。このとき、折曲部には、切欠部が設けられているので、筐体の軽量化を図ることができるという効果を有する電子機器を提供できる。
【図面の簡単な説明】
【００１２】
【図１】本発明に係る実施形態の携帯端末の分解斜視図
【図２】板金部および樹脂部の斜視図
【図３】図２中ＩＩＩ−ＩＩＩ位置の断面図
【図４】切欠部の正面図
【図５】従来の電子機器の断面図
【発明を実施するための形態】
【００１３】
以下、本発明の電子機器に係る実施形態について、図面を用いて説明する。
図１に示すように、本発明に係る実施形態の携帯端末１０は、上筐体２０と、下筐体３０と、上筐体２０および下筐体３０を回動可能に連結するヒンジ部４０を有する。
【００１４】
上筐体（筐体）２０は、内部に回路基板（図示省略）等を収容するケース２１を有しており、ケース２１の外面側（図１において上面側）を覆う矩形板状のカバー２２を有する。ケース２１の内面側（図１において下面側）には、液晶表示板（ＬＣＤ）からなる表示装置（電子部品）２３が取り付けられ、表示装置２３の前側には保護ガラス２４が取り付けられる。
下筐体３０は、内面（図１において上面）に、複数のキー３１からなる操作部３２を有する。
【００１５】
なお、ここでは、ヒンジ部４０は、下筐体３０に対して上筐体２０を矢印Ａ方向へ回動可能に支持する支持軸４１と、矢印Ｂ方向へ回動可能に支持する支持軸４２とを有する２軸タイプの携帯端末１０を示す。
【００１６】
図２に示すように、ケース２１は、矩形平面状の平板部２５１と、平板部２５１において互いに平行な左右一対の縁部２５１Ａ、２５１Ａにそれぞれ設けられた折曲部２５２、２５２から構成される板金部２５を有する。板金部２５は、アルミニウムで形成するのが望ましい。
図３に示すように、折曲部２５２は、平板部２５１の縁部から略直角に曲げ上げられている。ここでは、一旦下方へ折り曲げ、水平部を経て上方へ折り曲げて折曲部２５２が形成されているが、途中の形状は問わない。
【００１７】
図２に示すように、両折曲部２５２、２５２には、各々切欠部２５３が設けられている。各切欠部２５３の、上筐体２０の長手方向に沿った設置位置は、中心線ＣＬに対して非対称な位置に設けられている。すなわち、左右の切欠部２５３、２５３は、長手方向に沿って異なる位置に設けられている。
これにより、上筐体２０に曲げ外力が作用した際に、少なくとも一方は切り欠かれていない折曲部２５２が抵抗することになる。
【００１８】
図４に示すように、切欠部２５３は、平板部２５１に向かって（図４において下向きに）先細りとなる側面視略台形状をしている。すなわち、切欠部２５３の下辺の長さＬ１は、切欠部２５３の上辺の長さＬ２よりも短く、下辺と斜辺との隅部２５２Ｂのなす角度θ１，θ２は、ともに鈍角に形成されている。
なお、角度θ１と角度θ２は、同じでも良いが、異なっても良い。また、隅部２５２Ｂには、Ｒ（曲線）ですりつけるのが望ましい。
また、切欠部２５３の領域においても、折曲部２５２Ａは一定の高さを確保するように切欠部２５３を形成して、剛性を確保する。
【００１９】
図２および図３に示すように、折曲部２５２および平板部２５１の一定幅の左右の縁部２５１Ａは、樹脂で覆われて樹脂部２６を構成している。樹脂部２６は、ここでは、上筐体２０における左右の折曲部２５２および板金部２５の下辺２５４（図２において左下側）に設けられており、上辺２５５を除く全体Ｕ字形状に設けられている。
なお、上筐体２０の側面である樹脂部２６に、外部機器との接続用の切欠き等を設けることもできる。
【００２０】
以上、説明した本発明に係る実施形態の携帯端末１０によれば、上筐体２０において表示装置２３を支持する板金部２５の平板部２５１に設けられた折曲部２５２を、樹脂部２６により覆う。このとき、折曲部２５２には、切欠部２５３が設けられているので、上筐体２０の軽量化を図ることができる。
【００２１】
また、本発明の携帯端末１０によれば、折曲部２５２が平板部２５１における互いに平行な一対の縁部２５１Ａ、２５１Ａにそれぞれ設けられている。
そして、折曲部２５２に設けた切欠部２５３が、各折曲部２５２における非対称位置に設けられたので、上筐体２０に曲げ外力が作用した際に、少なくとも一方は切り欠かれていない折曲部２５２が抵抗することになる。これにより、切欠部２５３による曲げ強度の低下を低減して、一定の曲げ剛性を確保することができる。
【００２２】
また、本発明の携帯端末１０によれば、切欠部２５３が平板部２５１に向かって先細りとなる側面視略台形状に形成されているので、切欠部２５３の隅部２５２Ｂにおける切欠部側の角度θ１、θ２が鈍角になり、隅部２５２Ｂからの破断を防止できる。また、隅部２５２Ｂを、Ｒ（曲線）ですりつけることで、更に隅部２５２Ｂからの破断を防止できる。
また、開口側（平板部２５１と反対側）に広がる形状であるので、成形時における樹脂の流れを良好にして、樹脂部２６との一体化を図ることができる。
【００２３】
また、本発明の携帯端末１０によれば、板金部２５がアルミニウム製であるので、軽量化を図ることができる。
【００２４】
なお、本発明の電子機器は、前述した実施形態に限定されるものでなく、適宜な変形，改良等が可能である。
例えば、前述した実施形態においては、下筐体３０に対して上筐体２０を２支持軸４１、４２の回りに回動可能に支持する２軸タイプの携帯端末１０について例示したが、本発明はこれに限るものではない。
すなわち、支持軸４１回りに回動可能に支持する１軸タイプや、スライド可能に支持するタイプや、一筐体だけでヒンジ部が設けられていないタイプの携帯端末等にも同様に適用可能である。
【００２５】
また、前述した実施形態においては、電子部品として表示装置２３を例示し、上筐体２０について説明した。このほか、キーシート、回路基板、電池パック等も電子部品として採用することができ、これらを支持する部位について、上述した構成を適用することができる。
【００２６】
また、前述した実施形態においては、板金部２５の左右両側に折曲部２５２を設けた場合について例示したが、一方にのみ折曲部２５２を設けた場合にも、適用することができる。
【産業上の利用可能性】
【００２７】
以上のように、本発明にかかる電子機器は、筐体において電子部品を支持する板金部の平板部に設けられた折曲部を、樹脂部により覆う。このとき、折曲部には、切欠部が設けられているので、筐体の軽量化を図ることができるという効果を有し、金型内に挿入した金属部品の周りに樹脂を注入して金属と樹脂を一体化した筐体等の部品を用いる電子機器等として有用である。
【符号の説明】
【００２８】
１０  携帯端末（電子機器）
２０  上筐体（筐体）
２３  表示装置（電子部品）
２５  板金部
２５１  平板部
２５１Ａ  縁部
２５２  折曲部
２５３  切欠部
２６  樹脂部
【図１】
2013008917.tif 000003
【図２】
2013008917.tif 000004
【図３】
2013008917.tif 000005
【図４】
2013008917.tif 000006
【図５】
2013008917.tif 000007